(57)【特許請求の範囲】
【請求項１】
幅方向の両外側に１対のガイドリンクプレートを備えたガイドリンク列と、少なくとも１つのインナーリンクプレートを備えた非ガイドリンク列とを有し、
前記ガイドリンク列および非ガイドリンク列のリンクプレートが前後１対の第１ピン孔および第２ピン孔を有し、
前記ガイドリンク列のリンクプレートの第１ピン孔と前記非ガイドリンク列のリンクプレートの第２ピン孔、および、前記ガイドリンク列のリンクプレートの第２ピン孔と前記非ガイドリンク列のリンクプレートの第１ピン孔にそれぞれ連結ピンが挿通されることにより交互に連結編成されたチェーンであって、
前記ガイドリンク列および非ガイドリンク列のリンクプレートのそれぞれの第１ピン孔が、前記連結ピンと密に嵌合し、
前記ガイドリンク列および非ガイドリンク列のリンクプレートのそれぞれの第２ピン孔が、前記連結ピンと遊嵌するように構成されていることを特徴とするチェーン。
【請求項２】
前記ガイドリンク列が、前記１対のガイドリンクプレート間に配列された少なくとも１つ以上の前後１対の第１ピン孔および第２ピン孔を有した中間リンクプレートを備え、
該中間リンクプレートの第１ピン孔が、前記連結ピンと密に嵌合し、
該中間リンクプレートの第２ピン孔が、前記連結ピンと遊嵌するように構成されていることを特徴とする請求項１に記載のチェーン。
【請求項３】
前記ガイドリンク列が、前記１対のガイドリンクプレート間に配列された少なくとも１つ以上の前後１対の第１ピン孔および第２ピン孔を有した中間リンクプレートを備え、
該中間リンクプレートの両方のピン孔が、前記連結ピンと遊嵌するように構成されていることを特徴とする請求項１に記載のチェーン。
【請求項４】
前記ガイドリンク列が、前記１対のガイドリンクプレート間に配列された前後１対の第１ピン孔および第２ピン孔を有した２種類の中間リンクプレートを備え、
一方の中間リンクプレートの第１ピン孔が、前記連結ピンと密に嵌合し、
一方の中間リンクプレートの第２ピン孔および他方の中間リンクプレートの両方のピン孔が、前記連結ピンと遊嵌するように構成されていることを特徴とする請求項１に記載のチェーン。
【請求項５】
前記インナーリンクプレートおよび中間リンクプレートが、スプロケットに噛み合う歯を有することを特徴とする請求項１乃至請求項４のいずれかに記載のチェーン。
【請求項６】
前記ガイドリンクプレートが、スプロケットに噛み合う歯を有することを特徴とする請求項１乃至請求項５のいずれかに記載のチェーン。
【発明の詳細な説明】
【技術分野】
【０００１】
本発明は、多数のリンクプレートを連結ピンにより連結しかつ最外側にガイドリンクプレートを配置してなるチェーンに関するものである。
【背景技術】
【０００２】
従来、例えば、動力伝達用チェーンとして用いられるサイレントチェーンにおいて、幅方向の両外側に１対のガイドリンクプレートを備えたガイドリンク列と、少なくとも１つのインナーリンクプレートを備えた非ガイドリンク列とを有し、ガイドリンク列および非ガイドリンク列のリンクプレートが前後１対のピン孔を有し、ガイドリンク列のリンクプレートのピン孔と前記非ガイドリンク列のリンクプレートのピン孔にそれぞれ連結ピンが挿通されることにより交互に連結編成されたチェーンが公知である。
【０００３】
公知のチェーン５００は、図５に示すように、ガイドリンク列５０１の幅方向の両外側に１対のガイドリンクプレート５１０を備え、ガイドリンク列５０１の１対のガイドリンクプレート５１０間に中間リンクプレート５２０を備え、非ガイドリンク列５０２にはインナーリンクプレート５３０を備えている。
【０００４】
ガイドリンクプレート５１０、中間リンクプレート５２０およびインナーリンクプレート５３０には、それぞれ前後１対の第１ピン孔５１１、５２１、５３１および第２ピン孔５１２、５２２、５３２が設けられている。
【０００５】
ガイドリンク列５０１のガイドリンクプレート５１０および中間リンクプレート５２０の第１ピン孔５１１、５２１と非ガイドリンク列５０２のインナーリンクプレート５３０の第２ピン孔５３２、および、ガイドリンク列５０１のガイドリンクプレート５１０および中間リンクプレート５２０の第２ピン孔５１２、５２２と非ガイドリンク列５０２のインナーリンクプレート５３０の第１ピン孔５３１に、それぞれ連結ピン５４０が挿通されることにより交互に連結編成されて、チェーン５００が構成されている。
【０００６】
連結ピン５４０は、最外側に設けられたガイドリンクプレート５１０の前後１対の第１ピン孔５１１および第２ピン孔５１２に密に嵌合しており、中間リンクプレート５２０およびインナーリンクプレート５３０のそれぞれ前後１対の第１ピン孔５２１、５３１および第２ピン孔５２２、５３２には所定の隙間を有して遊嵌されている。
【０００７】
なお、図５および後述するすべての図面において、各構成部材の形状や寸法、変形量やずれ量等は実寸ではなく、各図面は、発明が明確に支持される範囲内で、より解りやすく説明するために簡略化したり誇張して表現したものである。
また、各図面における各リンクプレートの前後１対のピン孔について、図示左側を第１ピン孔、図示右側を第２ピン孔として説明するが、左右すべて逆でも良い。
【０００８】
この公知のチェーン５００は、連結ピン５４０が最外側に設けられたガイドリンクプレート５１０の前後１対の第１ピン孔５１１および第２ピン孔５１２に密に嵌合しており、中間リンクプレート５２０およびインナーリンクプレート５３０のそれぞれ前後１対の第１ピン孔５２１、５３１および第２ピン孔５２２、５３２には所定の隙間を有して遊嵌されているため、図６に示すように、前後方向（図示の左右方向）から張力Ｆを受けると、連結ピン５４０が湾曲し、ガイドリンクプレート５１０がそれぞれ外方に反ってしまう。
【０００９】
このことで、連結ピン５４０およびガイドリンクプレート５１０に繰り返しの変形によって摩耗伸びや発熱、騒音が増加したり、耐久性が悪化するという問題があった。
また、連結ピン５４０が湾曲することで、中間リンクプレート５２０およびインナーリンクプレート５３０にかかる張力にアンバランスが生じて特定のプレートに張力が集中し、チェーン全体の張力に対する強度が低下するという問題があった。
【００１０】
中間リンクプレートおよびインナーリンクプレートにかかる張力のアンバランスを緩和するため、中間リンクプレートおよびインナーリンクプレートのピン孔の大きさを、配置される幅方向の位置に応じて異なるものとしたチェーンや、中間リンクプレートおよびインナーリンクプレートの前後１対のピン孔のピッチを、配置される幅方向の位置に応じて異なるものとしたチェーンが公知である（特許文献１、特許文献２等参照。）。
【先行技術文献】
【特許文献】
【００１１】
【特許文献１】特開２００９−１７４６０６号公報（全頁、全図）
【特許文献２】特開２００９−１７４６０７号公報（全頁、全図）
【発明の概要】
【発明が解決しようとする課題】
【００１２】
特許文献１、２等に記載された公知のチェーンによれば、上記の中間リンクプレートおよびインナーリンクプレートにかかる張力のアンバランスによる問題はある程度軽減されるものの、連結ピンの湾曲と、ガイドリンクプレートの反り自体は解消されず、依然として繰り返しの変形によって摩耗伸びや発熱、騒音が増加したり、耐久性が悪化するという問題があった。
【００１３】
また、ピン孔の大きさやピッチの異なる中間リンクプレートおよびインナーリンクプレートを用意し、これらを正しい位置に配置する必要があるため、製造、組立コストが増加するという問題があった。
【００１４】
さらに、連結ピンの一定の湾曲を前提として、ピン孔の大きさやピッチが設定されるため、チェーンの張力の変化によって連結ピンの湾曲量が変化すると、依然として中間リンクプレートおよびインナーリンクプレートにかかる張力にアンバランスが生じて特定のプレートに張力が集中し、チェーン全体の張力に対する強度が低下するという問題があった。
【００１５】
本発明の課題は、前述したような従来技術の問題を解決するものであって、すなわち、本発明の目的は、製造、組立コストを抑制し、連結ピンやガイドリンクプレートの繰り返しの変形による摩耗伸びや発熱、騒音を抑制し、耐久性を向上するとともに、特定のプレートに張力が集中せず、チェーン全体の張力に対する強度を向上するチェーンを提供することである。
【課題を解決するための手段】
【００１６】
本請求項１に係る発明は、幅方向の両外側に１対のガイドリンクプレートを備えたガイドリンク列と、少なくとも１つのインナーリンクプレートを備えた非ガイドリンク列とを有し、前記ガイドリンク列および非ガイドリンク列のリンクプレートが前後１対の第１ピン孔および第２ピン孔を有し、前記ガイドリンク列のリンクプレートの第１ピン孔と前記非ガイドリンク列のリンクプレートの第２ピン孔、および、前記ガイドリンク列のリンクプレートの第２ピン孔と前記非ガイドリンク列のリンクプレートの第１ピン孔にそれぞれ連結ピンが挿通されることにより交互に連結編成されたチェーンであって、前記ガイドリンク列および非ガイドリンク列のリンクプレートのそれぞれの第１ピン孔が、前記連結ピンと密に嵌合し、前記ガイドリンク列および非ガイドリンク列のリンクプレートのそれぞれの第２ピン孔が、前記連結ピンと遊嵌するように構成されていることにより、前記課題を解決するものである。
【００１７】
本請求項２に係る発明は、請求項１に記載されたチェーンの構成に加えて、前記ガイドリンク列が、前記１対のガイドリンクプレート間に配列された少なくとも１つ以上の前後１対の第１ピン孔および第２ピン孔を有した中間リンクプレートを備え、該中間リンクプレートの第１ピン孔が、前記連結ピンと密に嵌合し、該中間リンクプレートの第２ピン孔が、前記連結ピンと遊嵌するように構成されていることにより、前記課題をさらに解決するものである。
【００１８】
本請求項３に係る発明は、請求項１に記載されたチェーンの構成に加えて、前記ガイドリンク列が、前記１対のガイドリンクプレート間に配列された少なくとも１つ以上の前後１対の第１ピン孔および第２ピン孔を有した中間リンクプレートを備え、該中間リンクプレートの両方のピン孔が、前記連結ピンと遊嵌するように構成されていることにより、前記課題をさらに解決するものである。
【００１９】
本請求項４に係る発明は、請求項１に記載されたチェーンの構成に加えて、前記ガイドリンク列が、前記１対のガイドリンクプレート間に配列された前後１対の第１ピン孔および第２ピン孔を有した２種類の中間リンクプレートを備え、一方の中間リンクプレートの第１ピン孔が、前記連結ピンと密に嵌合し、一方の中間リンクプレートの第２ピン孔および他方の中間リンクプレートの両方のピン孔が、前記連結ピンと遊嵌するように構成されていることにより、前記課題をさらに解決するものである。
【００２０】
本請求項５に係る発明は、請求項１乃至請求項４のいずれかに記載されたチェーンの構成に加えて、前記インナーリンクプレートおよび中間リンクプレートが、スプロケットに噛み合う歯を有することにより、前記課題をさらに解決するものである。
【００２１】
本請求項６に係る発明は、請求項１乃至請求項５のいずれかに記載されたチェーンの構成に加えて、前記ガイドリンクプレートが、スプロケットに噛み合う歯を有することにより、前記課題をさらに解決するものである。
【発明の効果】
【００２２】
本請求項１に係る発明のチェーンは、幅方向の両外側に１対のガイドリンクプレートを備えたガイドリンク列と、少なくとも１つのインナーリンクプレートを備えた非ガイドリンク列とを有し、ガイドリンク列および非ガイドリンク列のリンクプレートが前後１対の第１ピン孔および第２ピン孔を有し、ガイドリンク列のリンクプレートの第１ピン孔と非ガイドリンク列のリンクプレートの第２ピン孔、および、ガイドリンク列のリンクプレートの第２ピン孔と非ガイドリンク列のリンクプレートの第１ピン孔にそれぞれ連結ピンが挿通されることにより交互に連結編成されたチェーンであって、ガイドリンク列および非ガイドリンク列のリンクプレートのそれぞれの第１ピン孔が連結ピンと密に嵌合し、ガイドリンク列および非ガイドリンク列のリンクプレートのそれぞれの第２ピン孔が、連結ピンと遊嵌するように構成されていることにより、チェーンに張力がかかった際にガイドリンクプレートが反ることがなく、ガイドリンクプレートの繰り返しの変形による摩耗伸びや発熱、騒音を抑制し、耐久性を向上することができる。
【００２３】
また、連結ピンとリンクプレートのピン孔の関係が、張力方向においてすべて同一条件で密に嵌合し、遊嵌するように構成されているため、幅方向に均等に力が分散されて連結ピンの湾曲が抑制され、繰り返しの変形による摩耗伸びや発熱、騒音を抑制し、耐久性を向上することができる。
さらに、連結ピンの湾曲が抑制されることで、特定のプレートに張力が集中せず、チェーン全体の張力に対する強度を向上することができる。
【００２４】
また、ガイドリンク列および非ガイドリンク列のリンクプレートが交互に配列されている場合、枚数が１枚多くなるガイドリンク列のリンクプレートの第２ピン孔も摺動に関与するため、各摺動部の面圧が減少し摩耗伸びや発熱が減少する。
さらに、ガイドリンク列および非ガイドリンク列のリンクプレートの全ての第２ピン孔にほぼ均等に摺動面圧がかかるため、ガイドリンク列および非ガイドリンク列のリンクプレートの全ての第２ピン孔に摩耗が発生しても、均等に摩耗することでガイドリンク列と非ガイドリンク列のピッチ誤差の発生を防止できる。
【００２５】
本請求項２に記載の構成によれば、ガイドリンク列が、１対のガイドリンクプレート間に配列された少なくとも１つ以上の前後１対の第１ピン孔および第２ピン孔を有した中間リンクプレートを備え、該中間リンクプレートの第１ピン孔が、連結ピンと密に嵌合し、該中間リンクプレートの第２ピン孔が、連結ピンと遊嵌するように構成されていることによりにより、ガイドリンク列および非ガイドリンク列のリンクプレートが幅方向に多数設けられて１対のガイドリンクプレートの幅方向の間隔が大きくなり、連結ピンが長くなっても、連結ピンはほとんど湾曲することがない。
【００２６】
本請求項３に記載の構成によれば、ガイドリンク列が、１対のガイドリンクプレート間に配列された少なくとも１つ以上の前後１対の第１ピン孔および第２ピン孔を有した中間リンクプレートを備え、該中間リンクプレートの両方のピン孔が、前記連結ピンと遊嵌するように構成されていることにより、連結ピンと密に嵌合すべきピン孔を減らすことができ、製造、組立コストを抑制することができる。
【００２７】
本請求項４に記載の構成によれば、ガイドリンク列が、１対のガイドリンクプレート間に配列された前後１対の第１ピン孔および第２ピン孔を有した２種類の中間リンクプレートを備え、一方の中間リンクプレートの第１ピン孔が、連結ピンと密に嵌合し、一方の中間リンクプレートの第２ピン孔および他方の中間リンクプレートの両方のピン孔が、連結ピンと遊嵌するように構成されているにより、ガイドリンク列および非ガイドリンク列のリンクプレートが幅方向に多数設けられて１対のガイドリンクプレートの幅方向の間隔が大きくなり、連結ピンが長くなっても、第１ピン孔が連結ピンと密に嵌合する中間リンクプレートによって連結ピンの湾曲を抑制することができるとともに、両方のピン孔が連結ピンと遊嵌する中間リンクプレートを設けて連結ピンと密に嵌合すべきピン孔を減らすことで、製造、組立コストを抑制することができる。
【００２８】
本請求項５に記載の構成によれば、インナーリンクプレートおよび中間リンクプレートが、スプロケットに噛み合う歯を有することにより、製造、組立コストを抑制し、連結ピンやガイドリンクプレートの繰り返しの変形による摩耗伸びや発熱、騒音を抑制し、耐久性を向上するとともに、特定のプレートに張力が集中せず、チェーン全体の張力に対する強度を向上したサイレントチェーンとすることができる。
【００２９】
本請求項６に記載の構成によれば、ガイドリンクプレートが、スプロケットに噛み合う歯を有することにより、ガイドリンク列および非ガイドリンク列のリンクプレートの幅方向枚数が少ない場合や、背面側でもスプロケットに噛み合う用途においても、特定のプレートに張力が集中せず、チェーン全体の張力に対する強度を向上したサイレントチェーンとすることができる。
【図面の簡単な説明】
【００３０】
【図１】本発明の第１実施例であるチェーンの平面説明図。
【図２】本発明の第２実施例であるチェーンの平面説明図。
【図３】本発明の第３実施例であるチェーンの平面説明図。
【図４】本発明の第４実施例であるチェーンの平面説明図。
【図５】従来のチェーンの平面説明図。
【図６】従来のチェーンの張力がかかった状態の平面説明図。
【発明を実施するための形態】
【００３１】
本発明は、幅方向の両外側に１対のガイドリンクプレートを備えたガイドリンク列と、少なくとも１つのインナーリンクプレートを備えた非ガイドリンク列とを有し、ガイドリンク列および非ガイドリンク列のリンクプレートが前後１対の第１ピン孔および第２ピン孔を有し、ガイドリンク列のリンクプレートの第１ピン孔と非ガイドリンク列のリンクプレートの第２ピン孔、および、ガイドリンク列のリンクプレートの第２ピン孔と非ガイドリンク列のリンクプレートの第１ピン孔にそれぞれ連結ピンが挿通されることにより交互に連結編成されたチェーンであって、ガイドリンク列および非ガイドリンク列のリンクプレートのそれぞれの第１ピン孔が連結ピンと密に嵌合し、ガイドリンク列および非ガイドリンク列のリンクプレートのそれぞれの第２ピン孔が、連結ピンと遊嵌するように構成され、製造、組立コストを抑制し、連結ピンやガイドリンクプレートの繰り返しの変形による摩耗伸びや発熱、騒音を抑制し、耐久性を向上するとともに、特定のプレートに張力が集中せず、チェーン全体の張力に対する強度を向上するという効果を奏するものであれば、その具体的な実施態様は如何なるものであっても何ら構わない。
【実施例１】
【００３２】
以下に、本発明の実施例であるチェーンについて、図面に基づいて説明する。
本発明の第１実施例であるチェーン１００は、図１に示すように、ガイドリンク列１０１の幅方向の両外側に１対のガイドリンクプレート１１０を備え、ガイドリンク列１０１の１対のガイドリンクプレート１１０間に中間リンクプレート１２０を備え、非ガイドリンク列１０２にはインナーリンクプレート１３０を備えている。
【００３３】
ガイドリンクプレート１１０、中間リンクプレート１２０およびインナーリンクプレート１３０には、それぞれ前後１対の第１ピン孔１１１、１２１、１３１および第２ピン孔１１２、１２２、１３２が設けられている。
【００３４】
ガイドリンク列１０１のガイドリンクプレート１１０および中間リンクプレート１２０の第１ピン孔１１１、１２１と非ガイドリンク列１０２のインナーリンクプレート１３０の第２ピン孔１３２、および、ガイドリンク列１０１のガイドリンクプレート１１０および中間リンクプレート１２０の第２ピン孔１１２、１２２と非ガイドリンク列１０２のインナーリンクプレート１３０の第１ピン孔１３１に、それぞれ連結ピン１４０が挿通されることにより交互に連結編成されて、チェーン１００が構成されている。
【００３５】
それぞれの連結ピン１４０は、ガイドリンクプレート１１０および中間リンクプレート１２０の図示左側の第１ピン孔１１１、１２１、あるいは、インナーリンクプレート１３０の図示左側の第１ピン孔１３１に密に嵌合しており、インナーリンクプレート１３０の図示右側の第２ピン孔１３２、あるいは、ガイドリンクプレート１１０および中間リンクプレート１２０の図示右側の第２ピン孔１１２、１２２には所定の隙間を有して遊嵌されている。
【００３６】
以上の構成の本発明の第１実施例であるチェーン１００によれば、張力がかかった際にガイドリンクプレート１１０が反ることがなく、ガイドリンクプレート１１０の繰り返しの変形による摩耗伸びや発熱、騒音を抑制し、耐久性を向上することができる。
【００３７】
また、連結ピン１４０とガイドリンクプレート１１０、中間リンクプレート１２０およびインナーリンクプレート１３０のピン孔の関係が、張力方向においてすべて同一条件で第１ピン孔１１１、１２１、１３１が密に嵌合し、第２ピン孔１１２、１２２、１３２が遊嵌するように構成されているため、幅方向に均等に力が分散されて連結ピン１４０の湾曲が抑制され、繰り返しの変形による摩耗伸びや発熱、騒音を抑制し、耐久性を向上することができるとともに、連結ピン１４０の湾曲が抑制されることで、特定のリンクプレートに張力が集中せず、チェーン１００全体の張力に対する強度を向上することができる。
【００３８】
なお、図１に示す第１実施例では、中間リンクプレート１２０が幅方向に２枚、インナーリンクプレート１３０が幅方向に３枚としたが、この数に限定するものではない。
また、ガイドリンクプレート１１０および中間リンクプレート１２０と、インナーリンクプレート１３０を１枚ずつ交互に連結しているが、中間リンクプレート１２０およびインナーリンクプレート１３０を複数枚重なるように配列しても良い。
【００３９】
また、ガイドリンクプレート１１０および中間リンクプレート１２０と、インナーリンクプレート１３０は、図１では、説明を容易とするため比較的大きな間隔を開けて図示しているが、例えば、中間リンクプレート１２０と、インナーリンクプレート１３０をスプロケットに噛み合う歯を有するものとしてサイレントチェーンを構成する場合等は、当該間隔は、摺動して屈曲可能な最低限の間隔が確保されていれば良い。
また、中間リンクプレート１２０とインナーリンクプレート１３０の幅方向の間隔を広げて、連結ピン１４０にスプロケットの歯が噛み合うように構成しても良い。
【実施例２】
【００４０】
本発明の第２実施例であるチェーン２００は、図２に示すように、ガイドリンク列２０１の幅方向の両外側に１対のガイドリンクプレート２１０を備え、ガイドリンク列２０１の１対のガイドリンクプレート２１０間に中間リンクプレート２２０を備え、非ガイドリンク列２０２にはインナーリンクプレート２３０を備えている。
【００４１】
ガイドリンクプレート２１０、中間リンクプレート２２０およびインナーリンクプレート２３０には、それぞれ前後１対の第１ピン孔２１１、２２１、２３１および第２ピン孔２１２、２２２、２３２が設けられている。
【００４２】
ガイドリンク列２０１のガイドリンクプレート２１０および中間リンクプレート２２０の第１ピン孔２１１、２２１と非ガイドリンク列２０２のインナーリンクプレート２３０の第２ピン孔２３２、および、ガイドリンク列２０１のガイドリンクプレート２１０および中間リンクプレート２２０の第２ピン孔２１２、２２２と非ガイドリンク列２０２のインナーリンクプレート２３０の第１ピン孔２３１に、それぞれ連結ピン２４０が挿通されることにより交互に連結編成されて、チェーン２００が構成されている。
【００４３】
それぞれの連結ピン２４０は、ガイドリンクプレート２１０の図示左側の第１ピン孔２１１、あるいは、インナーリンクプレート２３０の図示左側の第１ピン孔２３１に密に嵌合しており、インナーリンクプレート２３０の図示右側の第２ピン孔２３２および中間リンクプレート２２０の図示左側の第１ピン孔２１１、あるいは、ガイドリンクプレート２１０および中間リンクプレート２２０の図示右側の第２ピン孔２１２、２２２には所定の隙間を有して遊嵌されている。
【００４４】
以上の構成の本発明の第２実施例であるチェーン２００によれば、張力がかかった際にガイドリンクプレート２１０が反ることがなく、ガイドリンクプレート２１０の繰り返しの変形による摩耗伸びや発熱、騒音を抑制し、耐久性を向上することができる。
【００４５】
また、幅方向のリンクプレート枚数が少なく連結ピン２４０が短い場合、連結ピン２４０とガイドリンクプレート２１０およびインナーリンクプレート２３０のピン孔の関係が、張力方向においてすべて同一条件で第１ピン孔２１１、２３１が密に嵌合し、第２ピン孔２１２、２３２が遊嵌するように構成されているため、幅方向に均等に力が分散されて連結ピン２４０の湾曲が抑制され、繰り返しの変形による摩耗伸びや発熱、騒音を抑制し、耐久性を向上することができるとともに、連結ピン２４０の湾曲が抑制されることで、特定のリンクプレートに張力が集中せず、チェーン２００全体の張力に対する強度を向上することができる。
【００４６】
さらに、中間リンクプレート２２０の第１ピン孔２２１と第２ピン孔２２２の両方が所定の隙間を有して遊嵌されるため、連結ピン２４０と密に嵌合すべきピン孔を減らすことができ、製造、組立コストを抑制することができる。
【００４７】
なお、図２に示す第２実施例では、中間リンクプレート２２０が幅方向に１枚、インナーリンクプレート２３０が幅方向に２枚としたが、この数に限定するものではない。
また、ガイドリンクプレート２１０および中間リンクプレート２２０と、インナーリンクプレート２３０を１枚ずつ交互に連結しているが、中間リンクプレート２２０およびインナーリンクプレート２３０を複数枚重なるように配列しても良い。
【００４８】
また、ガイドリンクプレート２１０および中間リンクプレート２２０と、インナーリンクプレート２３０は、図２では、説明を容易とするため比較的大きな間隔を開けて図示しているが、例えば、中間リンクプレート２２０と、インナーリンクプレート２３０をスプロケットに噛み合う歯を有するものとしてサイレントチェーンを構成する場合等は、当該間隔は、摺動して屈曲可能な最低限の間隔が確保されていれば良い。
また、中間リンクプレート２２０とインナーリンクプレート２３０の幅方向の間隔を広げて、あるいは中間リンクプレート２２０を省略して、連結ピン２４０にスプロケットの歯が噛み合うように構成しても良い。
【実施例３】
【００４９】
本発明の第３実施例であるチェーン３００は、図３に示すように、ガイドリンク列３０１の幅方向の両外側に１対のガイドリンクプレート３１０を備え、非ガイドリンク列３０２には１枚のインナーリンクプレート３３０を備えている。
ガイドリンクプレート３１０およびインナーリンクプレート３３０には、それぞれ前後１対の第１ピン孔３１１、３３１および第２ピン孔３１２、３３２が設けられている。
【００５０】
ガイドリンク列３０１のガイドリンクプレート３１０の第１ピン孔３１１と非ガイドリンク列３０２のインナーリンクプレート３３０の第２ピン孔３３２、および、ガイドリンク列３０１のガイドリンクプレート３１０の第２ピン孔３１２と非ガイドリンク列３０２のインナーリンクプレート３３０の第１ピン孔３３１に、それぞれ連結ピン３４０が挿通されることにより交互に連結編成されて、チェーン３００が構成されている。
【００５１】
それぞれの連結ピン３４０は、ガイドリンクプレート３１０の図示左側の第１ピン孔３１１、あるいは、インナーリンクプレート３３０の図示左側の第１ピン孔３３１に密に嵌合しており、インナーリンクプレート３３０の図示右側の第２ピン孔３３２、あるいは、ガイドリンクプレート３１０の図示右側の第２ピン孔３１２には所定の隙間を有して遊嵌されている。
【００５２】
以上の構成の本発明の第３実施例であるチェーン３００によれば、張力がかかった際にガイドリンクプレート３１０が反ることがなく、ガイドリンクプレート３１０の繰り返しの変形による摩耗伸びや発熱、騒音を抑制し、耐久性を向上することができる。
また、幅方向のリンクプレート枚数が少なく連結ピン３４０が短いため、連結ピン３４０の湾曲が抑制され、繰り返しの変形による摩耗伸びや発熱、騒音を抑制し、耐久性を向上することができる。
【００５３】
なお、図３に示す第３実施例では、インナーリンクプレート３３０を幅方向に１枚であり、ガイドリンクプレート３１０とインナーリンクプレート３３０がほぼ同一の厚みとなっているが、インナーリンクプレート３３０を厚くして１対のガイドリンクプレート３１０と同じ引張強度となるようにしても良い。
また、図４に示す第４実施例のように、インナーリンクプレート４３０を２枚とすることで、１対のガイドリンクプレート３１０と同じ引張強度となるようにしても良い。
【００５４】
また、ガイドリンクプレート３１０、４１０と、インナーリンクプレート３３０、４３０は、図３、図４では、説明を容易とするため比較的大きな間隔を開けて図示しているが、例えば、インナーリンクプレート３３０、４３０をスプロケットに噛み合う歯を有するものとしてサイレントチェーンを構成する場合等は、当該間隔は、摺動して屈曲可能な最低限の間隔が確保されていれば良い。
また、図４に示す第４実施例において、２枚のインナーリンクプレート４３０の幅方向の間隔を広げて、連結ピン４４０にスプロケットの歯が噛み合うように構成しても良い。
【００５５】
以上説明したように、本発明によれば、製造、組立コストを抑制し、連結ピンやガイドリンクプレートの繰り返しの変形による摩耗伸びや発熱、騒音を抑制し、耐久性を向上するとともに、特定のプレートに張力が集中せず、チェーン全体の張力に対する強度を向上するなど、その効果は甚大である。
【００５６】
なお、上記各実施例では、ガイドリンクプレート１１０、２１０、３１０、４１０、中間リンクプレート１２０、２２０、インナーリンクプレート１３０、２３０、３３０、４３０の側面視の形状については、図示せず特定していないが、小判型、ひょうたん型等、いかなる形状でもよく、下側端面、上側端面あるいは上下両端面にスプロケットに噛み合う歯を有するもの等、それぞれ、チェーンのリンクプレートとしての機能を発揮できるものであればいかなる形状であっても良い。
【符号の説明】
【００５７】
１００、２００、３００、４００、５００  ・・・チェーン
１０１、２０１、３０１、４０１、５０１  ・・・ガイドリンク列
１０２、２０２、３０２、４０２、５０２  ・・・非ガイドリンク列
１１０、２１０、３１０、４１０、５１０  ・・・ガイドリンクプレート
１１１、２１１、３１１、４１１、５１１  ・・・第１ピン孔
１１２、２１２、３１２、４１２、５１２  ・・・第２ピン孔
１２０、２２０、                ５２０  ・・・中間リンクプレート
１２１、２２１、                ５２１  ・・・第１ピン孔
１２２、２２２、                ５２２  ・・・第２ピン孔
１３０、２３０、３３０、４３０、５３０  ・・・インナーリンクプレート
１３１、２３１、３３１、４３１、５３１  ・・・第１ピン孔
１３２、２３２、３３２、４３２、５３２  ・・・第２ピン孔
１４０、２４０、３４０、４４０、５４０  ・・・連結ピン
【図１】
0005483358.tif 000002
【図２】
0005483358.tif 000003
【図３】
0005483358.tif 000004
【図４】
0005483358.tif 000005
【図５】
0005483358.tif 000006
【図６】
0005483358.tif 000007